(57)【特許請求の範囲】
【請求項１】
組立状態でティシュペーパーの取出口を有する上面、その反対の底面、前記上面および底面を繋ぐ長手方向に沿う側面を有し、
各側面の長手方向端から延在した部分が端面側に折られ、かつ対向する各先端縁が相互に離間している端面フラップを有し、これら端面フラップの外側に、底面の長手方向端から延在した部分を端面側に折られた箱の高さより短い底面側端面片と、上面の長手方向端から延在した部分を端面側に折られた箱の高さより短い上面側端面片とが順次重ねられ、
かつ、前記底面側端面片が各前記端面フラップと、前記上面側端面片が各前記端面フラップと貼り合わされ、
さらに、前記底面側端面片の高さ方向上端部と上面側端面片の高さ方向下端部とが貼り合わされているティシュカートンにおいて、
前記底面側端面片の各幅方向側縁またはこの側縁から近接した２点から幅方向中間に延びる実質的に連続する山形のミシン目を１対形成して押し込み領域をそれぞれ形成し、
かつこれらのミシン目の山形頂部を連接または近接させ、しかも、これらの山形頂部は、対向する各前記端面フラップの各先端縁の離間部位に位置し箱の内部空間に直接臨んでおり、
前記押し込み領域の上稜線ミシン目が、前記上面側端面片の下縁と実質的に一致または下方に位置しており、
前記各押し込み領域を箱の内方に押し込んだとき、前記一方の押し込み領域の稜線ミシン目が他方の押し込み領域の稜線ミシン目と繋がって破断される構成としたことを特徴とする折り畳み自在ティシュカートン。
【請求項２】
前記山形のミシン目はアーチ状をなし、そのアーチの間隔が１５〜３５mmである請求項１記載の折り畳み自在ティシュカートン。
【請求項３】
前記底面側端面片の上端縁と前記上稜線ミシン目との間の高さ方向間隔が３〜２０ｍｍであり、この間隔領域において前記底面側端面片の高さ方向上端部と前記上面側端面片の高さ方向下端部とが貼り合わされている請求項１記載の折り畳み自在ティシュカートン。
【請求項４】
端面フラップの基部近傍と、底面側端面片の高さ方向上端部と上面側端面片の高さ方向下端部との重なり合い面とに、設けられた接着剤によって各端面フラップと各端面片とが貼り合わせられている請求項１〜３の何れか１項に記載の折り畳み自在ティシュカートン。
【発明の詳細な説明】
【０００１】
【産業上の利用分野】
本発明は、ティシュペーパーを収容するティシュカートンに係り、特には使用後に容易に折り畳んでそのままコンパクト化した状態で廃棄に供することができるティシュカートンに関する。
【０００２】
【従来の技術】
折り重ねられたティシュペーパーを収容するティシュカートンは、ティシュペーパーの収容性および取出性のため箱形形状とされている。しかし、使用後にごみ箱などに廃棄するに当り、箱形形状のままでは嵩ばるので、押し潰した後に廃棄に供するのが一般的である。
【０００３】
しかしながら、このティシュカートンは、物流過程においてあるいは流通過程において潰れることのないように、比較的堅固に形成されているため、容易に押し潰すことはできないようになっている。
【０００４】
そこで、実開昭６０−１９０６７９号公報、および本出願人の提案に係る実開平１−８２１８７号において、使用済みのティシュカートンを潰して廃棄に供することができる構造が提案されている。
【０００５】
他方で、実公昭６２−７５４０号公報には、ティシュカートンの端面を指で潰した後、フラップを順次開ける構造（第１先行例という）が提案されている。また、フラップを順次開ける点で同様であるものの、構造が異なるもの（第２先行例という）が市販されている。
【０００６】
この第２先行例を、図１２および図１３により説明すると、内側フラップ５０，５１に対して、底面側端面片５２を被せ、さらにこれに上面側端面片５３を重ねて、これらの重合部分を接着剤などにより固定したティシュカートンにおいて、底面側端面片５２の高さ方向上端部に、その上縁に沿って幅全長にわたって分離用ミシン目６０を形成し、かつその中間にＵ字状の押し込みミシン目６１を形成したものである。
【０００７】
このティシュカートンにおいては、まず、押し込みミシン目６１と分離用ミシン目６０とで区画される押し込み片６２の下部をたとえば人指し指により押し込み、その際、押し込み片６２を区画する分離用ミシン目６０部分６０ａを折り線としてカートン内に押し込み片６２を破断しながら押し込む。
【０００８】
次いで、図１２に示すように、上面側端面片５３を撥ね上げる（実線の矢印で示す）。この際に、上面側端面片５３と内側フラップ５０，５１との接着部分は剥がされる。
【０００９】
続いて、底面側端面片５２を下方に展開して、内側フラップ５０，５１との接着部分を剥がしながら分離する（仮想線の矢印で示す）。その後、内側フラップ５０，５１をカートン内にまたは外に折った上で、カートン全体を平らに潰した後、廃棄に供するものである。
【００１０】
【発明が解決しようとする課題】
前記の第１および第２先行例は合理的な構造ではある。しかし、第１先行例のものにおいては、内側フラップの中間に幅方向に沿ってカートンの稜までミシン目を形成することにより、このミシン目により区画された部分が、上面側端面片と底面側端面片とを開けたとき、同伴することにより２分割されるように構成してあるが、前記部分をカートンの稜に沿って強制的に破る必要があり、この操作は慣れないと実際的に難しい。
【００１１】
この点については、第２先行例は、内側フラップを強制的に破る必要はないので、改良されている構造ではある。しかし、底面側端面片５２を下方に展開して、内側フラップ５０，５１との接着部分を剥がしながら分離する（仮想線の矢印で示す）場合において、容易に剥がれ難い問題がある。
【００１２】
また、押し込み片６２を破断しながら押し込むときに、ある程度の剛性が必要であるので、両内側フラップ５０，５１の長さを長くして押し込み片６２の周囲を支える必要があり、しかも、内側フラップ５０を押し込み片６２に近接するまで延在する必要がある。その結果、内側フラップ５０，５１の先端の離間スペースが小さく、これが、その狭い離間スペースに指を差し入れて底面側端面片５２を下方に展開する操作をより難しくしている。
【００１３】
したがって、本発明の課題は、前記の第１および第２先行例の問題点を解消するとともに、使用後に容易に折り畳んでそのままコンパクト化した状態で廃棄に供することができるティシュカートンを提供することにある。
【００１４】
【課題を解決するための手段】
上記課題を解決した本発明の折り畳み自在のティシュカートンは、組立状態でティシュペーパーの取出口を有する上面、その反対の底面、前記上面および底面を繋ぐ長手方向に沿う側面を有し、
各側面の長手方向端から延在した部分が端面側に折られ、かつ対向する各先端縁が相互に離間している端面フラップを有し、これら端面フラップの外側に、底面の長手方向端から延在した部分を端面側に折られた箱の高さより短い底面側端面片と、上面の長手方向端から延在した部分を端面側に折られた箱の高さより短い上面側端面片とが順次重ねられ、
かつ、前記底面側端面片が各前記端面フラップと、前記上面側端面片が各前記端面フラップと貼り合わされ、
さらに、前記底面側端面片の高さ方向上端部と上面側端面片の高さ方向下端部とが貼り合わされているティシュカートンにおいて、
前記底面側端面片の各幅方向側縁またはこの側縁から近接した２点から幅方向中間に延びる実質的に連続する山形のミシン目を１対形成して押し込み領域をそれぞれ形成し、
かつこれらのミシン目の山形頂部を連接または近接させ、しかも、これらの山形頂部は、対向する各前記端面フラップの各先端縁の離間部位に位置し箱の内部空間に直接臨んでおり、
前記押し込み領域の上稜線ミシン目が、前記上面側端面片の下縁と実質的に一致または下方に位置しており、
前記各押し込み領域を箱の内方に押し込んだとき、前記一方の押し込み領域の稜線ミシン目が他方の押し込み領域の稜線ミシン目と繋がって破断される構成としたことを特徴とするものである。
【００１５】
この場合における前記山形のミシン目はアーチ状をなし、そのアーチの間隔が１５〜３５mmであるのが好適である。
【００１６】
また、前記底面側端面片の上端縁と前記上稜線ミシン目との間の高さ方向間隔が３〜２０ｍｍであり、この間隔領域において前記底面側端面片の高さ方向上端部と前記上面側端面片の高さ方向下端部とが貼り合わされているのが望ましく、さらに、端面フラップの基部近傍と、底面側端面片の高さ方向上端部と上面側端面片の高さ方向下端部との重なり合い面とに、設けられた接着剤によって各端面フラップと各端面片とが貼り合わせられているのが望ましい。
【００１７】
【作用】
本発明においては、図面の符号も参照すれば、両手でティシュカートンを持った状態で、両親指で押し込み領域１２Ａおよび押し込み領域１２Ｂを押し込み、各ミシン目２０，２１にて破断する。この場合、一般的には連接点Ｘを破断開始点として容易に破断を開始できる。破断は、幅方向側縁１２Ｃ，１２Ｃまで一気に行うことができる。一気に行った場合には、図７に示されているように、端面フラップ１３，１４がカートン内に押し込まれ、このとき、端面フラップ１３，１４は、上面側端面片１１および底面側端面片１２から剥がれる。したがって、その後、上面側端面片１１を上面１側に、底面側端面片１２を底面２側に開けば、端面が完全に開口する。この場合においては、操作は３工程となる。
【００１８】
前記の第２先行例においては、端面の開口に際して４工程であるので、操作の数が少なくなり、かつ上面側端面片１１および底面側端面片１２を剥離する操作が不要となり、きわめて簡便なものとなる。
【００１９】
他方、押し込み領域１２Ａおよび押し込み領域１２Ｂを押し込み、各ミシン目２０，２１の途中まで、たとえば端面フラップ１３，１４の先端縁近傍まで破断した後、図７に示すように、上面側端面片１１を上面１側に起こして、端面フラップ１３，１４から剥がし、次いで、図８に示すように、底面側端面片１２を底面２側に開き、端面フラップ１３，１４から剥がし、最後に、端面フラップ１３，１４をそれぞれ各押し込み領域１２Ａ，１２Ｂと共に側面３，４の内面に折り込むことができる。この場合における端面の開口操作は４工程となる。
【００２０】
しかるに、この後者の例を、使用者により仮に採った場合、前記の第２先行例における工程数としては同一であるとしても、図９に示すように、底面側端面片１２を剥がすときにおいて、図４の寸法Ｈとして短いもので足り、したがって剥離が容易となる。なお、第２先行例において、同様の寸法Ｈとすることもできるが、この場合には、逆に上面側端面片１１の剥離が困難となることは明らかである。
【００２１】
他方で、本発明のいずれの端面開口方法を採るにしても、第１先行例との比較の下では、側面とフラップとの稜部分を破ることのきわめて難しい操作は不要である。
【００２２】
【実施例】
以下、本発明の実施例を図面により具体的に説明する。
図１は、本発明に係るティシュカートンの展開状態の平面図、図２はその組立状態斜視図、図３は端面の正面図であり、ティシュペーパーの取出口を有する上面１、その反対の底面２、上面１および底面２を繋ぐ長手方向に沿う側面３，４を有するとともに、端面をそれぞれ有する。５は連結フラップである。また、ティシュペーパーの取出口は、破断用ミシン目１Ａに沿って、これに囲まれる部分を除去することにより形成される。２Ａは押し上げ破断用ミシン目である。
【００２３】
前記の端面の構成は、各側面３，４の長手方向端から延在した部分が端面側に折られ、かつ対向する各先端縁が相互に離間している端面フラップ１３，１４を有し、これら端面フラップ１３，１４の外側に、底面２の長手方向端から延在した部分を端面側に折られた箱の高さより短い底面側端面片１２と、上面１の長手方向端から延在した部分を端面側に折られた箱の高さより短い上面側端面片１１とが順次重ねられ、底面側端面片１２の高さ方向上端部と上面側端面片１１の高さ方向下端部とが貼り合わされたものである。この貼り合わせには、接着剤が用いられ、たとえば図４に示す領域Ｚで接合される。
【００２４】
本発明においては、底面側端面片１２の各幅方向側縁１２Ｃ，１２Ｃまたはこの側縁から近接した２点から幅方向中間に延びる実質的に連続する山形、第１の実施例においてはアーチ状のミシン目２０，２１を１対形成して押し込み領域１２Ａ，１２Ｂをそれぞれ形成してある。また、これらのミシン目２０，２１の頂部は連接点Ｘにより連接している。
【００２５】
さらに、各押し込み領域１２Ａ，１２Ｂを箱の内方に押し込んだとき、一方の押し込み領域１２Ａの稜線ミシン目２０Ａが他方の押し込み領域１２Ｂの稜線ミシン目２１Ａと繋がって破断される構成とされている。
【００２６】
かかるティシュカートンにおいては、まず、両手でティシュカートンを持った状態で、両親指で押し込み領域１２Ａおよび押し込み領域１２Ｂを押し込み、各ミシン目２０，２１にて破断する。この場合、一般的には連接点Ｘを破断開始点として容易に破断を開始できる。破断は、幅方向側縁１２Ｃ，１２Ｃまで一気に行う。これによって、図７に示されているように、端面フラップ１３，１４がカートン内に押し込まれ、このとき、端面フラップ１３，１４は、上面側端面片１１および底面側端面片１２から剥がれて、側面３，４の内面に密着するまで押し込まれる。したがって、その後、上面側端面片１１を上面１側に、底面側端面片１２を底面２側に単純に開けば、端面が完全に開口する。この場合においては、操作は３工程となる。
【００２７】
他方、押し込み領域１２Ａおよび押し込み領域１２Ｂを押し込み、各ミシン目２０，２１の途中まで、たとえば端面フラップ１３，１４の先端縁近傍まで破断した後、図８に示すように、上面側端面片１１を上面１側に起こして、端面フラップ１３，１４から剥がし、次いで、図９に示すように、底面側端面片１２を底面２側に開き、端面フラップ１３，１４から剥がし、最後に、端面フラップ１３，１４をそれぞれ各押し込み領域１２Ａ，１２Ｂと共に側面３，４の内面に折り込むこともできる。しかし、この場合における端面の開口操作は４工程となるので、好ましいものではない。
【００２８】
いずれにしても、端面の開口が終了したならば、図１０に示すように、上面１を底面２側に押し潰して、必要によりさらに２つ折りなどして、ゴミ箱に捨てる。
【００２９】
前記の構成において、図５に示す寸法としては、図４に示すように、上面側端面片１１と底面側端面片１２との端部を接合させるための領域Ｚを少なくとも確保するとともに、それらの重ね合わせ部分にある剛性を確保するためにＤとしては３〜２０mm（最適には４〜１２mm）、指を入れて押し込むこめのＬとしては１５〜３５mm（最適には１７〜２６mm）が望ましく、Ｓはティシュペーパーの収容枚数で変化するが、１５〜４０mmが好適である。
【００３０】
一方、図６に示すように、ミシン目２０，２１の上側を上面側端面片１１の下縁と実質的に一致させることもできる。この場合には、ミシン目２０，２１の破断性がより優れたものとなる。
【００３１】
前記例においては、ミシン目がアーチ状であり、各頂点が一つの連接点Ｘを構成しているが、図１１に示すように、たとえば台形の山形とすることができ、この場合には、連接部分が点でなく、連接頂線Ｘｏとなる。このほか、本発明においては、各押し込み領域１２Ａ，１２Ｂを箱の内方に押し込んだとき、一方の押し込み領域１２Ａの稜線ミシン目２０Ａが他方の押し込み領域１２Ｂの稜線ミシン目２１Ａと繋がって破断される構成であればよく、したがって、たとえばミシン目２０，２１の頂部が接触していなくとも、離間状態で近接してもよい。
【００３２】
ミシン目２０，２１のピッチを部分的に変更すること、ミシン目そのものの形状を直線的でなく、長いＺ字またはＳ字状などとすることもできる。
【００３３】
【発明の効果】
以上のとおり、本発明に係るティシュカートンによれば、端面の開口がきわめて容易となり、したがって、迅速にカートンの押し潰しが可能となる。
【図面の簡単な説明】
【図１】本発明に係るティシュカートンの展開状態平面図である。
【図２】組立状態の斜視図である。
【図３】端面の正面図である。
【図４】接合領域例の説明図である。
【図５】展開状態の要部平面図である。
【図６】態様を異にする端面の正面図である。
【図７】本発明の端面の開口例の斜視図である。
【図８】参考的に示された端面の開口例の第１段階の斜視図である。
【図９】その端面の開口例の第２段階の斜視図である。
【図１０】カートンの押し潰し状態斜視図である。
【図１１】別の例の端面の正面図である。
【図１２】従来例の端面開口状態の第１段階の斜視図である。
【図１３】その端面の正面図である。
【符号の説明】
１…上面、２…底面、３，４…側面、１１…上面側端面片、１２…底面側端面片、１２Ａ，１２Ｂ…押し込み領域、１３，１４…端面フラップ、２０，２１…ミシン目。
【図１】
0003653302.tif 000002
【図２】
0003653302.tif 000003
【図３】
0003653302.tif 000004
【図４】
0003653302.tif 000005
【図５】
0003653302.tif 000006
【図６】
0003653302.tif 000007
【図７】
0003653302.tif 000008
【図８】
0003653302.tif 000009
【図９】
0003653302.tif 000010
【図１０】
0003653302.tif 000011
【図１１】
0003653302.tif 000012
【図１２】
0003653302.tif 000013
【図１３】
0003653302.tif 000014